(57)【要約】【課題】  エレキギター本体と音源を確保するための付属品は重量、容量、形状的に携行に適したものではない。小型化を図るためには演奏時の音色を考慮し弦の全長をスケールダウンせずに実現しなくてはならない。【解決手段】  エレキギター本体に折りたたみ機構を持たせる。さらにボディーに伸縮機能を付け通常ネック上部にあるペグをボディー下部に設置し更なる小型化を実現する。ボディーの伸縮機能は、てこの原理を用いたレバーを使用して容易に操作することが出来、折りたたんだ時はギター全体の２分の１以下の長さになるが、組み立てたときには本来のギターの弦全長を保持することを可能にした。全ての音源機能はギターケースに内蔵され、移動を容易にするためにケースに取り付けられるストラップはギター演奏時に使用するストラップと兼用でき、移動演奏の携行の負荷を軽減する。【選択図】図３
2007193285.tif 000002
【特許請求の範囲】
【請求項１】
ギターボディーの骨格部がスライドし、弦が緩みギター本体のネックが１２フレッド付近で折れ、緩んだ弦をボディー脇に設けたガイドに収納して折りたたむことができ、なおかつ組み立てるとき、スライド部にかかる弦の張力に打ち勝つためボディーに取り付けたてこの原理を利用したレバーにより、小さい力で一気に組み立てられることを特徴とした音源機能内蔵ケース付き折りたたみエレキギター。
【請求項２】
ギター本体のネックが１２フレット付近で折れ、弦全長の約２分の１の長さになる機構。
【請求項３】
ギター本体の長さが伸縮し、弦を短時間で緩めたり張ったりできる、ギター本体の伸縮スライド機構。
【請求項４】
てこの原理を利用したレバーを取り付け、レバーを引くことによりボディーがスライドして弦の強い張力を瞬時に解除し、また弦をセットしたときには、概ねの調律が可能になる弦のワンアクションテンション機構付き請求項３のエレキギター。
【請求項５】
エレキギターの音源となる、アンプ・スピーカー・ケーブル・プラグ・乾電池（電源）などを内蔵することができ、ギター本体及び付属品を収納する機能を有する請求項１の音源機能内蔵ケース。
【発明の詳細な説明】
【技術分野】
【０００１】  本発明はケースに音源機能を持った折りたたみ可能なエレキギターに関する。
【背景技術】
【０００２】  従来、エレキギターは本体と音源は別体のものが多く別体のアンプやケーブル、電源を準備することで楽器として成立している。
また、演奏可能な場所への移動には持ち運び作業は必須である。【０００３】  持ち運びを容易にするため弦の全長が短い音源内蔵コンパクトギターはある。
【発明の開示】
【発明が解決しようとする課題】
【０００５】  以上に述べた従来のエレキギター本体と音源を確保するための付属品の移動には持ち運びの負荷が多く伴う。特に一体で形成されるエレキギター本体は重量、容量、また形状的にも携行に適したものではない。なおかつ演奏を最良にするためには弦の全長をスケールダウンさせずに小型化をはからなければならない。
【課題を解決するための手段】
【０００６】  本発明のエレキギター本体は弦全長の２分の１の長さにあたるナットから１２フレット付近までの長さのネック部と、スライド機能付きボディー部とで構成されている。上記目的を達成するために第１の課題解決手段としてペグの取り付け位置をボディーの下部に設けたものである。【０００７】  また、第２の課題解決手段は全ての弦をワンアクションで緩めたり張ったりするために、てこの原理を用いたレバーでボディーをスライドさせる機能を設けたものである。【０００８】  第３の課題解決手段はエレキギター演奏において必要不可欠な音源の機能をケースに設けたものである。【０００９】  上記第１と第２の課題解決手段による作用としては次の通りである。すなわち、ペグ部がボディー下部にあり、また弦の強い張力に打ち勝ち全ての弦をワンアクションで緩め、ボディーと一緒にスライドすることによってより効果的に弦の全長をスケールダウンさせずに小型化を実現することができる。さらに、ワンアクションで弦を張ることもできるので組み立てたときに調律の手間がほとんど要らない。【００１０】  第３の課題解決手段による作用としては次の通りである。すなわち、演奏時の音源確保と携行における負荷の軽減を可能とする。
【発明の効果】
【００１１】  上述したように、ギター本体を折りたたんだ時は組み立てたときの２分の１以下の長さになるが、組み立てたときには本来のエレキギター同様の演奏ができ、さらに、ワンアクションで弦を張ることもできるので弦の調律の手間がほとんど要らない。【００１２】  ギター本体を組み立てたときの２分の１以下の長さに折りたたむことで短時間でケースに収納できる。【００１３】  ケース自体に音源機能を内蔵したことにより、携行時の付属品を大幅に削減し、場所や演奏者の年齢性別を問わず容易に移動ができて演奏することを可能とする。
【発明の実施するための最良の形態】
【００１４】  以下、本発明の実施の形態を図１〜図８に基づいて説明する。
【００１５】  本発明のエレキギター本体は１のネックと２のボディーから成り立つ。２のボディーはスライド機構で伸縮する図１、図３。
【００１６】  ２のボディーのスライド機構は、図５のてこの原理を用いた２４のレバーを使用し弦の張りに対して容易に２のボディーを伸縮させることが出来る。
【００１７】  １のネックと２のボディーは３の蝶番で接続される。３の蝶番は１のネックと２のボディーを図１、図２、図３へと変化させる役割を持つ。
【００１８】  １のネックと２のボディーを折りたたんだ際に緩んだ弦の処理は２のボディー脇にある６のガイドにまとめることにより緩んだ弦のばらつきを防ぎ収納することが出来る図１、図４。
【００１９】  図３に７のピックアップコイル、５のアウトプット、８の（ギターの）ボリュームが設けてあり、４のペグは１９のボディー下部に設けることにより折りたたみ時のコンパクト化をより可能にする。
【００２０】  エレキギターの音源機能付きケース図６、図７は図８のように開閉し図６の１０のスピーカー、１５のインプット、１６のスイッチと（アンプの）ボリューム、１２のハンドル、１４のストラップピンが設置されている。
【００２１】  １４のストラップピンは移動時にストラップを取り付けることができる。ストラップはギター演奏時に使用するものと兼用することにより付属品の省略が可能となる。
【００２２】  スライド機構図５は１８のボディー上部に２０の支点を設け１９のボディー下部に２２の作用点Ｂを固定し２３の力点に力を加えることにより２１の作用点Ａに大きな力が加わり２５のリンクを通じて２２の作用点Ｂにも大きな力が加わる。
【図面の簡単な説明】
【００２３】
【図１】本発明のエレキギター本体の透視図
【図２】図１から図３へと変化する途中の側面図
【図３】図１のギター本体が小型化した透視図
【図４】ギター本体の弦をガイドに収納時の側面図
【図５】ボディーのスライド機構の内部詳細図
【図６】エレキギターの音源機能付きケースの正面図
【図７】エレキギターの音源機能付きケースの側面図
【図８】エレキギターの音源機能付きケースを開いた時の正面図
【符号の説明】
【００２４】  １  ネック
２  ボディー
３  蝶番
４  ペグ
５  アウトプット
６  ガイド
７  ピックアップコイル
８  （ギターの）ボリューム
９  ケーブル収納室
１０  スピーカー
１１  アンプ部
１２  ハンドル
１３  錠
１４  ストラップピン
１５  インプット
１６  スイッチと（アンプの）ボリューム
１７  エレキギター本体収納室
１８  ボディー上部
１９  ボディー下部
２０  支点
２１  作用点Ａ
２２  作用点Ｂ
２３  力点
２４  レバー
２５  リンク
【図１】
2007193285.tif 000003
【図２】
2007193285.tif 000004
【図３】
2007193285.tif 000005
【図４】
2007193285.tif 000006
【図５】
2007193285.tif 000007
【図６】
2007193285.tif 000008
【図７】
2007193285.tif 000009
【図８】
2007193285.tif 000010
【手続補正書】
【提出日】平成18年9月1日(2006.9.1)
【手続補正１】
【補正対象書類名】特許請求の範囲
【補正対象項目名】全文
【補正方法】変更
【補正の内容】
【特許請求の範囲】
【請求項１】
テコの原理を利用したレバーによりギターボディーの骨格部をスライドさせ、ボディーを縮小させると共に弦の張力を解除させるギター本体の伸縮スライド機構を有しネックを弦長の中央付近で折りたたみ緩んだ弦をボディー脇に設けたガイドに収納して折りたたむことによりギター本体の長さを弦長の２分の１の長さに縮小させることを特徴とした折りたたみエレキギター。